(57)【特許請求の範囲】
【請求項１】
第１ハウジングと第２ハウジングとを回転ヒンジ部５を介して折り畳み開閉可能に接続し、プラスチックで成形された第１、第２ハウジングのそれぞれ一端部に一体に互いに隣接して嵌合するプラスチックで成形された第１軸受１１及び第２軸受１４と、該第１及び第２軸受の軸孔内に軸方向に沿って設けた突起状リブとを備えた軸受部に、金属製の支軸２１に回転可能に軸支された外周に溝状リブを設けたプラスチック製の第１回転体２２及び金属製の第２回転体２３と、該第１、第２回転体を互いに支軸を中心に相対的に所定の回転角度差θを持つ位置にて一旦停止ロックさせるクリック機構とを備えた支軸部を嵌挿した折り畳みヒンジ部を備え、前記金属製の第２回転体２３を嵌挿した前記第２軸受の軸孔内に、そのプラスチック製の軸孔内周面と突起状リブを保護する形状の金属で成形された筒状体が装填されていることを特徴とする折り畳みヒンジ部を備えたプラスチック製ハウジング。
【請求項２】
第１ハウジングと第２ハウジングとをその端部に設けた回転ヒンジ部を介して折り畳み開閉可能に接続した折り畳み式のプラスチック製ハウジングにおいて、プラスチックで成形された第１ハウジングと第２ハウジングのそれぞれ一端部に一体に、互いに隣接して嵌合するプラスチックで成形された第１軸受及び第２軸受と、該第１及び第２軸受の軸孔内に軸方向に沿って設けた突起状リブとを備えた軸受部と、金属製の支軸に回転可能に軸支された外周に溝状リブを設けたプラスチック製の第１回転体及び金属製の第２回転体と、該第１回転体と第２回転体とを互いに支軸を中心に相対的に所定の回転角度差を持つ位置にて一旦停止ロックさせるクリック機構とを備えた支軸部とにより構成され、前記第１軸受と第２軸受のそれぞれ軸孔内に、前記第１回転体と第２回転体とを突起状リブと溝状リブを嵌合させて嵌挿した折り畳みヒンジ部を備え、前記金属製の第２回転体２３を嵌挿した前記第２軸受の軸孔内に、そのプラスチック製の軸孔内周面と突起状リブを保護する形状の金属で成形された筒状体が装填されていることを特徴とする折り畳みヒンジ部を備えたプラスチック製ハウジング。
【請求項３】
第１ハウジングと第２ハウジングとをその端部に設けた回転ヒンジ部を介して折り畳み開閉可能に接続した折り畳み式のプラスチック製ハウジングにおいて、プラスチックで成形された第１ハウジングと第２ハウジングのそれぞれ一端部に一体に、互いに隣接して嵌合するプラスチックで成形された第１軸受及び第２軸受と、該第１及び第２軸受の軸孔内に軸方向に沿って設けた突起状リブとを備えた軸受部と、金属製の支軸に回転可能に軸支された外周に溝状リブを設けたプラスチック製の第１回転体及び金属製の第２回転体と、該第１回転体の内部に前記支軸に装通されてその回転体と一体的に回転可能に設けられ且つ該支軸に沿って弾性体により付勢されて第２回転体を押圧する押圧板と、該押圧板にその支軸を挟んで両端部に設けた突起部と、前記第２回転体の押圧面の支軸を挟んで対向する両端部と該支軸中心及び両端部を結ぶ直線に対して回転位相角度が所定角度だけ異なる直線上の両端部とに設けた前記押圧板の突起部が弾性的に嵌入する凹陥部と、所定の回転角度差を持つ位置にて前記突起部と凹陥部とを嵌入させて第１回転体と第２回転体の相対的回転を一旦停止ロックさせるクリック機構とを備えた支軸部とにより構成され、前記第１軸受と第２軸受のそれぞれ軸孔内に、第１回転体と第２回転体とを突起状リブと溝状リブを嵌合させて嵌挿し、前記第２回転体の先端部に設けた係合部を第２軸受の内端部に係合して固定した折り畳みヒンジ部を備え、前記金属製の第２回転体２３を嵌挿した前記第２軸受の軸孔内に、そのプラスチック製の軸孔内周面と突起状リブを保護する形状の金属で成形された筒状体が装填されていることを特徴とする折り畳みヒンジ部を備えたプラスチック製ハウジング。
【請求項４】
前記回転位相角度が、１０°〜２５°の角度だけ異なる請求項３記載の折り畳みヒンジ部を備えたプラスチック製ハウジング。
【請求項５】
前記所定の回転角度差が、１５５°〜１７０°のうちいずれかの角度差である請求項１乃至請求項４記載の折り畳みヒンジ部を備えたプラスチック製ハウジング。
【請求項６】
第１ハウジングと第２ハウジングとをその端部に設けた回転ヒンジ部を介して折り畳み開閉可能に接続した折り畳み式のプラスチック製ハウジングにおいて、プラスチックで成形された第１ハウジングと第２ハウジングのそれぞれ一端部に一体に、互いに隣接して嵌合するプラスチックで成形された第１軸受及び第２軸受と、該第１及び第２軸受の軸孔内に軸方向に沿って設けた突起状リブとを備えた軸受部と、金属製の支軸に回転可能に軸支された外周に溝状リブを設けたプラスチック製の第１回転体及び金属製の第２回転体と、該第１回転体の内部に前記支軸に装通されてその回転体と一体的に回転可能に設けられ且つ該支軸に沿って弾性体により付勢されて第２回転体を押圧する押圧板と、該押圧板にその支軸を挟んで両端部に設けた突起部と、前記第２回転体の押圧面の支軸を挟んで対向する両端部に設けた前記押圧板の突起部が弾性的に嵌入する凹陥部と、所定の回転角度差を持つ位置にて前記突起部と凹陥部とを嵌入させて第１回転体と第２回転体の相対的回転を一旦停止ロックさせるクリック機構とを備えた支軸部とにより構成され、前記第１軸受と第２軸受のそれぞれ軸孔内に、第１回転体と第２回転体とを突起状リブと溝状リブを嵌合させて嵌挿し、前記第２回転体の先端部に設けた係合部を第２軸受の内端部に係合して固定した折り畳みヒンジ部を備え、前記金属製の第２回転体２３を嵌挿した前記第２軸受の軸孔内に、そのプラスチック製の軸孔内周面と突起状リブを保護する形状の金属で成形された筒状体が装填されていることを特徴とする折り畳みヒンジ部を備えたプラスチック製ハウジング。
【請求項７】
前記所定の回転角度差が、１８０°である請求項６記載の折り畳みヒンジ部を備えたプラスチック製ハウジング。
【請求項８】
前記金属製の第２回転体が、先端部に係合部を設けたプラスチックにより成形された前部回転部と、押圧板の突起部が弾性的に嵌入する凹陥部を設けた金属により成形された後部回転部とにより構成されている請求項１乃至請求項７記載の折り畳みヒンジ部を備えたプラスチック製ハウジング。
【発明の詳細な説明】
【０００１】
【発明の属する技術分野】
折り畳み式の携帯電話やＰＨＳ、携帯情報端末等の折り畳みヒンジ部を備えたハウジングに関し、特にそのハウジング全体をプラスチックで作成した折り畳みヒンジ部を備えたプラスチック製ハウジングに関する。
【０００２】
【従来の技術】
電波送受信用アンテナを装備する携帯電話機やＰＨＳ電話機など携帯用の情報端末機やその他の携帯用通信機器においては、機器のハウジング（外装ケース）全体を金属で作成すると電波がシールドされてしまって、機器内部のアンテナが使用不能となるため、アンテナを用いた上記のような機器には、従来よりプラスチックで作成されたハウジングが使用されている。
【０００３】
特に、携帯用機器としては機器全体をコンパクトな構造とするために、二つ折り用のヒンジ部を介して折り畳み可能な折り畳み式の構造となっており、例えば携帯電話機やＰＨＳ機などにおいては、スピーカー（受話器）及び液晶表示パネルなどを備えた表示パネル側のハウジング体（フロントケース部とリアーケース部との重ね合わせによるハウジング体）と、操作キーボード及びマイク（送話器）などを備えた操作パネル側ハウジング体（フロントケース部とリアーケース部との重ね合わせによるハウジング体）とが、その互いの端部にある二つ折りヒンジ部を介して互いに開閉可能に結合されていて、使用時にはそのヒンジ部を介して互いに水平方向に開放して使用し、不使用時にはそのヒンジ部を介して両ハウジング体を重ね合わせるように折り曲げて、半分のサイズに折り畳みできるようになっている。
【０００４】
このような折り畳み構造の機器においては、ヒンジ部の繰り返し開閉動作や、使用時における開放状態での取り扱い動作に対する十分な強度や耐久性が要求されており、ヒンジ部を含めてハウジング全体をプラスチック製ハウジングとした場合には十分な強度や耐久性が得られないため、折り畳みヒンジ部を備えた携帯用端末機におけるヒンジ部及びそのヒンジ部と一体のハウジングのフロントケース部には、一般に金属材料（成形加工性の良いマグネシウム合金など）が用いられ、プラスチック材料は前記ハウジングのリアーケース部にのみ使用されている場合が多い。
【０００５】
また、特に手動にて二つ折りに折り畳んで閉鎖（閉鎖内角度０°；不使用時の表示パネル側と操作バネル側の両ハウジングの重ね合わせ）操作した際や、開放操作（例えば開放内角度１６０°〜１８０°以内）した際に、その閉鎖操作（重ね合わせ操作）と開放操作のそれぞれ操作終点位置がクリック感として操作者の手指に感触として伝わって確認できることが望ましい。
【０００６】
そのために、閉鎖及び開放使用時におけるヒンジ部の内角度を、上記のような一定の角度に保つための操作終点位置を設定し、そり位置を確認できるクリック感を付与する一旦停止用のストッパーリブや弾性体を内装したロック機構などの構造が重要であり、またその構造の強度の強弱がヒンジ部全体の耐久性の良否に対する重要な要因となっている。
【０００７】
【発明が解決しようとする課題】
そこで、ストッパーリブ構造やロック機構の耐久性及び精度を向上させるために、上記表示パネル側と操作パネル側のプラスチック製ハウジングの端部に、全体が金属材料により形成されたヒンジ部を接合して設け、その金属製ヒンジ部の構造体である開閉回転支軸部やその支軸を軸支する軸孔を備えた軸受部（ブラケット）に金属材料を用いる試みがなされている。
【０００８】
しかしながら、プラスチック製ハウジングと、その端部に設けられた金属製のヒンジ部の構造体との接合部分に必要十分な強度が得られなかったり、ヒンジ部を含めたハウジング全体のデザイン設定において自由度が無くなり、制約を受けるなどの問題があった。
【０００９】
本発明は、折り畳みヒンジ部を備えたハウジングにおいて、上記表示パネル側と操作パネル側の両方のハウジング及びその端部に設けたヒンジ部の軸受部（ブラケット）を含めてハウジング全体（ヒンジ部と一体のフロントケース部とリアーケース部）をプラスチック製のハウジングにするとともに、そのヒンジ部の強度を３万回程度の繰り返し開閉動作に耐え得る耐久性のあるものにすることにある。
【００１０】
【課題を解決するための手段】
本発明の請求項１に係る発明は、第１ハウジングと第２ハウジングとを回転ヒンジ部５を介して折り畳み開閉可能に接続し、プラスチックで成形された第１、第２ハウジングのそれぞれ一端部に一体に互いに隣接して嵌合するプラスチックで成形された第１軸受１１及び第２軸受１４と、該第１及び第２軸受の軸孔内に軸方向に沿って設けた突起状リブとを備えた軸受部に、金属製の支軸２１に回転可能に軸支された外周に溝状リブを設けたプラスチック製の第１回転体２２及び金属製の第２回転体２３と、該第１、第２回転体を互いに支軸を中心に相対的に所定の回転角度差θを持つ位置にて一旦停止ロックさせるクリック機構とを備えた支軸部を嵌挿した折り畳みヒンジ部を備え、前記金属製の第２回転体２３を嵌挿した前記第２軸受の軸孔内にその軸孔内周面と突起状リブ形状に追従する形状に金属で成形された筒状体が装填されていることを特徴とする折り畳みヒンジ部を備えたプラスチック製ハウジングである。
【００１１】
次に本発明の請求項２に係る発明は、第１ハウジングと第２ハウジングとをその端部に設けた回転ヒンジ部を介して折り畳み開閉可能に接続した折り畳み式のプラスチック製ハウジングにおいて、プラスチックで成形された第１ハウジングと第２ハウジングのそれぞれ一端部に一体に、互いに隣接して嵌合するプラスチックで成形された第１軸受及び第２軸受と、該第１及び第２軸受の軸孔内に軸方向に沿って設けた突起状リブとを備えた軸受部と、金属製の支軸に回転可能に軸支された外周に溝状リブを設けたプラスチック製の第１回転体及び金属製の第２回転体と、該第１回転体と第２回転体とを互いに支軸を中心に相対的に所定の回転角度差を持つ位置にて一旦停止ロックさせるクリック機構とを備えた支軸部とにより構成され、前記第１軸受と第２軸受のそれぞれ軸孔内に、前記第１回転体と第２回転体とを突起状リブと溝状リブを嵌合させて嵌挿した折り畳みヒンジ部を備え、前記金属製の第２回転体２３を嵌挿した前記第２軸受の軸孔内にその軸孔内周面と突起状リブ形状に追従する形状に金属で成形された筒状体が装填されていることを特徴とする折り畳みヒンジ部を備えたプラスチック製ハウジングである。
【００１２】
次に本発明の請求項３に係る発明は、第１ハウジングと第２ハウジングとをその端部に設けた回転ヒンジ部を介して折り畳み開閉可能に接続した折り畳み式のプラスチック製ハウジングにおいて、プラスチックで成形された第１ハウジングと第２ハウジングのそれぞれ一端部に一体に、互いに隣接して嵌合するプラスチックで成形された第１軸受及び第２軸受と、該第１及び第２軸受の軸孔内に軸方向に沿って設けた突起状リブとを備えた軸受部と、金属製の支軸に回転可能に軸支された外周に溝状リブを設けたプラスチック製の第１回転体及び金属製の第２回転体と、該第１回転体の内部に前記支軸に装通されてその回転体と一体的に回転可能に設けられ且つ該支軸に沿って弾性体により付勢されて第２回転体を押圧する押圧板と、該押圧板にその支軸を挟んで両端部に設けた突起部と、前記第２回転体の押圧面の支軸を挟んで対向する両端部と該支軸中心及び両端部を結ぶ直線に対して回転位相角度が所定角度だけ異なる直線上の両端部とに設けた前記押圧板の突起部が弾性的に嵌入する凹陥部と、所定の回転角度差を持つ位置にて前記突起部と凹陥部とを嵌入させて第１回転体と第２回転体の相対的回転を一旦停止ロックさせるクリック機構とを備えた支軸部とにより構成され、前記第１軸受と第２軸受のそれぞれ軸孔内に、第１回転体と第２回転体とを突起状リブと溝状リブを嵌合させて嵌挿し、前記第２回転体の先端部に設けた係合部を第２軸受の内端部に係合して固定した折り畳みヒンジ部を備え、前記金属製の第２回転体２３を嵌挿した前記第２軸受の軸孔内にその軸孔内周面と突起状リブ形状に追従する形状に金属で成形された筒状体が装填されていることを特徴とする折り畳みヒンジ部を備えたプラスチック製ハウジングである。
【００１３】
次に本発明の請求項４に係る発明は、上記請求項３に係る発明のハウジングにおいて、前記回転位相角度が、１０°〜２５°の角度だけ異なる折り畳みヒンジ部を備えたプラスチック製ハウジングである。
【００１４】
次に本発明の請求項５に係る発明は、上記請求項１乃至請求項４に係る発明のハウジングにおいて前記所定の回転角度差が、１５５°〜１７０°のうちいずれかの角度差である折り畳みヒンジ部を備えたプラスチック製ハウジングである。
【００１５】
次に本発明の請求項６に係る発明は、第１ハウジングと第２ハウジングとをその端部に設けた回転ヒンジ部を介して折り畳み開閉可能に接続した折り畳み式のプラスチック製ハウジングにおいて、プラスチックで成形された第１ハウジングと第２ハウジングのそれぞれ一端部に一体に、互いに隣接して嵌合するプラスチックで成形された第１軸受及び第２軸受と、該第１及び第２軸受の軸孔内に軸方向に沿って設けた突起状リブとを備えた軸受部と、金属製の支軸に回転可能に軸支された外周に溝状リブを設けたプラスチック製の第１回転体及び金属製の第２回転体と、該第１回転体の内部に前記支軸に装通されてその回転体と一体的に回転可能に設けられ且つ該支軸に沿って弾性体により付勢されて第２回転体を押圧する押圧板と、該押圧板にその支軸を挟んで両端部に設けた突起部と、前記第２回転体の押圧面の支軸を挟んで対向する両端部に設けた前記押圧板の突起部が弾性的に嵌入する凹陥部と、所定の回転角度差を持つ位置にて前記突起部と凹陥部とを嵌入させて第１回転体と第２回転体の相対的回転を一旦停止ロックさせるクリック機構とを備えた支軸部とにより構成され、前記第１軸受と第２軸受のそれぞれ軸孔内に、第１回転体と第２回転体とを突起状リブと溝状リブを嵌合させて嵌挿し、前記第２回転体の先端部に設けた係合部を第２軸受の内端部に係合して固定した折り畳みヒンジ部を備え、前記金属製の第２回転体２３を嵌挿した前記第２軸受の軸孔内にその軸孔内周面と突起状リブ形状に追従する形状に金属で成形された筒状体が装填されていることを特徴とする折り畳みヒンジ部を備えたプラスチック製ハウジングである。
【００１６】
次に本発明の請求項７に係る発明は、上記請求項６に係る発明のハウジングにおいて、前記所定の回転角度差が、１８０°である折り畳みヒンジ部を備えたプラスチック製ハウジングである。
【００１７】
次に本発明の請求項８に係る発明は、上記請求項１乃至請求項７に係る発明のハウジングにおいて、前記金属製の第２回転体が、先端部に係合部を設けたプラスチックにより成形された前部回転部と、押圧板の突起部が弾性的に嵌入する凹陥部を設けた金属により成形された後部回転部とにより構成されている折り畳みヒンジ部を備えたプラスチック製ハウジングである。
【００１８】
【発明の実施の形態】
本発明の折り畳みヒンジ部を備えたプラスチック製ハウジングを図１〜図５に示す実施の形態に従って以下に詳細に説明する。
【００１９】
図１は本発明の折り畳みヒンジ部を備えたプラスチック製ハウジングの一例を説明する折り畳み式の携帯電話機やＰＨＳ機器などの携帯情報端末機の外観斜視図、図２はその平面図を示す。
【００２０】
本発明のハウジングは、操作キーボード２と送話器３（マイク）などを備えた操作パネル側の第１ハウジング１と、液晶表示パネル５と受話器６（スピーカー）、アンテナ部７などを備えた表示パネル側の第２ハウジング４とにより構成され、第１ハウジング１は、フロントケース１ａとリアケース１ｂとの重ね合わせにより形成され、第２ハウジング４は、フロントケース４ａとリアケース４ｂとの重ね合わせにより形成され、該第１、第２ハウジング１、４は、そのフロントケース１ａ、４ａの互いの端部に一体成形により設けたそれぞれ第１軸受１１、第２軸受１４のそれぞれ軸孔内に装通した支軸部の軸芯Ｏを中心に回転する回転ヒンジ部５を介して、二つ折りにして折り曲げ折り畳み可能に接続されている。
【００２１】
図示するように、第１軸受１１と第２軸受１４は、第１ハウジング１と第２ハウジング４と共にそれぞれその一端部に一体にプラスチックで成形されており、互いに隣接して嵌合するように組み合せられている。
【００２２】
操作パネル側の第１ハウジング１と表示パネル側の第２ハウジング４は、その折り曲げ内角が、閉鎖内角０°〜開放内角１７０°以内（例えば閉鎖内角０°、開放内角１６０°）の範囲で折り曲げ可能であり、使用時には、その内角０°から開放内角１６０°方向に開放でき、不使用時には二つ折りして１６０°〜０°方向に閉鎖し、互いに両ハウジングは重ね合わせ折り畳み可能になっている。
【００２３】
この第１、第２ハウジング１、４は、材質がアクリロニトリル・ブタジエン・スチレン（ＡＢＳ）樹脂で作成されている。もちろん、ポリカーボネートや、アクリロニトリル・ブタジエン・スチレン（ＡＢＳ）とポリカーボネートとの共重合体などでもかまわない。ただし、落下強度が強く、成形しやすく、成形収縮率が小さな合成樹脂（非結晶性の樹脂）が好ましい。
【００２４】
上記操作パネル側の第１ハウジング１の表面にはキーボード部２を備え、そのハウジング１の裏面側には、ポリカーボネートとアクリロニトリル・ブタジエン・スチレンとのアロイで作成されたバッテリーカバー８や、バッテリーカバー８をロックするロックツマミ（図示せず）などを備え、また、そのハウジング１の外端部にはニトリル−ブタジエンラバー（ＮＢＲ）で作成されたイヤホーンジャックキャップ９などが取り付けられている。
【００２５】
また、表示パネル側の第２ハウジング４の表面には液晶表示パネル５を備え、ポリカーボネートで作成された透明なレンズ状の液晶表示パネルカバー部などが取り付けられ、また本発明が見本用のプラスチック製ハウジングである場合にはポリメチルメタアクリレートで作成された液晶表示パネルに画面表示される文字や記号などを印刷して模擬表示するための画面模擬表示用スクリーン部などが取り付けられている。
【００２６】
図３は、回転ヒンジ５の内部を説明する部分断面図、図６は（ａ）〜（ｂ）は回転ヒンジ５における第１軸受１１、第２軸受１４の断面図であり、操作パネル側の第１ハウジング１の一端部に設けた前記第１軸受１１は軸孔１１ａを備え、表示パネル側の第２ハウジング４の一端部に設けた前記第２軸受１４は軸孔１４ａを備え、図３に示すように、それぞれ軸孔１１ａ、１４ａ内には図面左方向から右方向に向かって支軸部２０が嵌挿されている。
【００２７】
また、第１軸受１１の軸孔１１ａ内には、図６（ａ）に示すように、その軸方向に沿って突起状リブ１１ｂを備え、第２軸受１４の軸孔１４ａ内には、図６（ｂ）に示すように、その軸方向に沿って突起状リブ１４ｂを備えている。
【００２８】
支軸部２０は、図３に示すように、支軸２１に回転可能に装通軸支したプラスチック製の第１回転体２２と金属製の第２回転体２３とにより構成されていて、第１、第２回転体２２、２３は、それぞれ分離独立して支軸２１を中心に回転可能になっている。
【００２９】
支軸部２０を構成する第１回転体２２の支軸２１を挟んで対向する外周面には図６（ａ）に示すように溝状リブ２２ａ、２２ａを備え、支軸部２０を構成する金属製の第２回転体２３の支軸２１を挟んで対向する外周面には図６（ｂ）に示すように溝状リブ２３ａ、２３ａを備えている。
【００３０】
本発明における支軸部２０を、図３及び図４（ａ）に示す支軸部２０の側面図及び図４（ｂ）に示す支軸部２０の側断面図に基づいて詳細に説明すれば、支軸部２０は、支軸２１に回転可能に装通軸支したプラスチック製の第１回転体２２と金属製の第２回転体２３とにより構成され、第１、第２回転体２２、２３は、それぞれ分離独立して支軸２１を中心に回転可能になっていて、支軸２１の両端には係止板２１ａ、２１ｂを備え、第１、第２回転体２２、２３が抜け落ちないようになっている。
【００３１】
第１回転体２２は、その支軸２１を挟んで対向する外周面に溝状リブ２２ａ、２２ａが設けられ、その回転体２２の内部は中空となっていて、その中空内部には、支軸２１に嵌挿した弾性体として螺旋状バネ２７が取り付けられ、また、該第１回転体２２の先端部側（第２回転体２３に近接する側）の内部には、支軸２１に嵌挿する押圧板２６が螺旋状バネ２７の弾性力によって第１回転体２２の先端部方向に付勢されて設けられ、その押圧板２６は、その両端部が該支軸２１を挟んで対向する第１回転体２２の先端部側の周面に設けた切欠部２２ｂ、２２ｂ内に嵌挿されていて、第１回転体２２の回転と一体的に回転動作可能となっている。また、該押圧板２６の両端部には、隣接する第２回転体２３の隣接面に対向する突起部２６ａ、２６ａが設けられている。
【００３２】
金属製の第２回転体２３は、その支軸２１を挟んで対向する外周面に溝状リブ２３ａ、２３ａが設けられ、第１回転体２２と隣接する隣接面には、弾性体２７にて付勢された前記第２押圧板２６のそれぞれ突起部２６ａ、２６ａが嵌入可能な対応位置に凹陥部２３ｂ、２３ｂが設けられている。
【００３３】
第２回転体２３（金属製）の第１回転体２２（プラスチック製）と隣接する隣接面に対して反対側には弾力性のある割りピン形状の係合部２３ｃが設けられていて、図３に示すように支軸部２０全体を図面左側から右方向に向かって第１、第２軸受１１、１４のそれぞれ軸孔１１ａ、１４ａ内に嵌挿した際に、該割りピン形状の係合部２３ｃの先端部が、第２軸受１４の軸孔１４ａの細い軸孔内に嵌挿した後に、その係合部２３ｃの先端部の爪部が、該軸孔１４ａ外側端面に係合することにより、支軸部２０全体が外側（図面左方向）に抜け外れないようになっている。
【００３４】
図３、図４（ｃ）に示すように、支軸部２０を軸孔１１ａ、１４ａ内に嵌挿することによって回転ヒンジ部５を形成した後には、前記支軸部２０の外端部にある係止部２１ａに、化粧カバー３０が該係止部２１ａの両側切欠に沿ってスライドさせながら被覆されている。
【００３５】
図５（ａ）は、図４（ａ）、図４（ｃ）に示す支軸部２０を第２回転体２３側から見た正面図であり、第２回転体２３の係合部２３ｃは、４つに分割されて割りピン形状となっている。
【００３６】
図５（ｂ）は、図３の支軸部２０に関するＭ−Ｍ断面図であり、第１回転体２２は内部が中空であって、支軸２１を挟んで対向する外周面に溝状リブ２２ａ、２２ａが設けられ、押圧板２６は、支軸２１に沿ってスライド可能に嵌挿していて、該押圧板２６の両端部は、第１回転体２２の支軸２１を挟んで対向する外周部に設けた切欠部２２ｂ、２２ｂに嵌挿している。
【００３７】
図５（ｃ）は、図３の支軸部２０に関するＮ−Ｎ断面図であり、第２回転体２３は、支軸２１を挟んで対向する外周面に溝状リブ２３ａ、２３ａが設けられ、ている。
【００３８】
図６（ａ）は、図３の回転ヒンジ部５の第１軸受１１及び第１回転体２２に関するＭ−Ｍ断面図であり、図６（ｂ）は、図３の回転ヒンジ部５の第２軸受１４及び第２回転体２３に関するＮ−Ｎ断面図である。
【００３９】
図６（ａ）に示すように、操作パネル側の第１ハウジング１の端部に設けられた第１軸受１１の軸孔１１ａ内には、支軸部２０の第１回転体２２が嵌挿されていて、その軸孔１１ａの突起状リブ１１ｂと回転体２２の溝状リブ２２ａは互いに嵌合しており、第１ハウジング１の第１軸受１１は、支軸部２０の支軸２１を中心に第１回転体２２と一体的に回転する。
【００４０】
また、図６（ｂ）に示すように、表示パネル側の第２ハウジング４の端部に設けられた第２軸受１４の軸孔１４ａ内には、支軸部２０の第２回転体２３が嵌挿されていて、その軸孔１４ａの突起状リブ１４ｂと回転体２３の溝状リブ２３ａが互いに嵌合しており、第２ハウジング４の第２軸受１４は、支軸部２０の支軸２１を中心に第２回転体２３と一体的に回転する。
【００４１】
そして、上記第１ハウジング１と第２ハウジング４とは、それぞれ第１軸受１１、第２軸受１４に装通した前記支軸部２０を介して接続されていて、支軸部２０の支軸２１を中心に開閉可能であり、これにより図１、図２に示したような回転ヒンジ部５を備えた折り畳み可能なプラスチック製ハウジングが形成されている。なお、上記第１ハウジング１と第２ハウジング４が所定の内角度θで全開した時にそれ以上の内角度に開放しないように、全開停止点として、図６（ａ）に示すように、第１軸受１１外周部の支軸２１直下相当部に、停止用の当接部１１ｃを設け、図６（ｂ）に示すように、第２軸受１４外周部の支軸２１直下相当部に、停止用の当接背部１４ｃを設けてるようにすることができ、第１ハウジング１と第２ハウジング４を所定の内角度θで全開した際には、当接部１１ｃに当接背部１４ｃが当接して全開での設定内角θ以上には開かないようになっている。
【００４２】
図６（ａ）に示すように、回転ヒンジ部５における第１回転体２２と一体的に回転可能な押圧板２６の両端部にあるそれぞれ突起部２６ａ、２６ａは、常に弾性体２７（図３、図４参照）によって弾力的に第２回転体２３方向に付勢されており、回転ヒンジ部５を介して第１ハウジング１と第２ハウジング４とを開閉動作した際には、それぞれ該ハウジング１、４と一体的に第１回転体２２と第２回転体２３は支軸２１を中心に相対的に回転する。
【００４３】
そして、第１ハウジング１と第２ハウジング４との開閉動作における所定相対回転角度にて、前記プラスチック製の第１回転体２２側に一体的な突起部２６ａ、２６ａは、金属製の第２回転体２３の第１回転体２２との隣接面の前記突起部２６ａ、２６ａに対応する位置に設けたそれぞれ凹陥部２３ｂ、２３ｂ内に嵌入して、互いに一旦、停止ロックされるようになっている。
【００４４】
図６（ａ）に示すように、第１ハウジング１（第１軸受１１）と一体的に回転する第１回転体２２の押圧板２６は、例えば、図示するように第１ハウジング１に対して直線Ａ1 −Ｂ1 方向に取り付けられていて、その直線Ａ1 −Ｂ1 と略直交する方向には、それぞれ凸状リブ１１ｂと溝状リブ２２ａとの嵌合点が設けられている。
【００４５】
そして、前記押圧板２６のそれぞれ前記突起部２６ａ、２６ａは、押圧板２６両端部のそれぞれ直線Ａ1 −Ｂ1 上に設けられており、第１ハウジング１と第２ハウジング４との所定回転角度θによる開閉動作においては、第１ハウジング１（第１軸受１１）は、第２ハウジング４（第２軸受１４）に対して支軸２１を中心に相対的に前記所定回転角度θだけ回転し、直線Ａ1 −Ｂ1 上の前記突起部２６ａ、２６ａは直線Ａ2 −Ｂ2 上に回転移動する。
【００４６】
図６（ｂ）に示すように、第２ハウジング４（第２軸受１４）と一体的に回転する第２回転体２３の第１回転体２２に対する隣接面に設けた凹陥部２３ｂ、２３ｂは、前記突起部２６ａ、２６ａの所定回転角度θの回転に対応する位置に設けられ、例えば、図示するように、第２ハウジング４に対して直線Ａ1 −Ｂ1 上と直線Ａ2 −Ｂ2 上とにそれぞれ設けられており、その直線Ａ1 −Ｂ1 と略直交する方向には、それぞれ凸状リブ１４ｂと溝状リブ２３ａとの嵌合点が設けられている。
【００４７】
そして、第１ハウジング１と第２ハウジング４との所定角度θによる開閉動作においては、第２ハウジング４（第１軸受１４）は、第１ハウジング１（第１軸受１１）に対して支軸２１を中心に相対的に前記所定回転角度θだけ回転し、直線Ａ1 −Ｂ1 上の前記凹陥部２３ｂ、２３ｂは直線Ａ2 −Ｂ2 上に、直線Ａ2 −Ｂ2 上の前記凹陥部２３ｂ、２３ｂは直線Ａ1 −Ｂ1 上に回転移動する。
【００４８】
前記所定回転角度θの設定は、図６（ｂ）に示すように、前記第１回転体２２側の金属製の押圧板２６の突起部２６ａ、２６ａ（金属製）を嵌入する金属製の第２回転体２３の凹陥部２３ａ、２３ａが設けられる前記直線Ａ1 −Ｂ1 と直線Ａ2 −Ｂ2 の回転位相角度差を１８０°−θに設定して、一方の直線Ａ1 −Ｂ1 上に開放（全開）時のクリック点（全開停止するロック位置）として支軸２１を挟んで対向する一対の凹陥部２３ａ、２３ａを設け、また、他方の直線Ａ2 −Ｂ2 上に閉鎖（全閉）時のクリック点（閉鎖停止するロック位置）として支軸２１を挟んで対向する一対の凹陥部２３ａ、２３ａを設け、このように前記２対の凹陥部２３ａ、２３ａを第２回転体２３の第１回転体２２との隣接面に設けることによって実施できる。
【００４９】
ここで、両ハウジング１、４が互いに重ね合わせられて折り畳まれる閉鎖時の内角度を０°として、開放時の内角度を、例えば１５５°〜１７０°のうちのいずれかの角度に設定する場合には、第１ハウジング１と第２ハウジング４との間の回転ヒンジ部５を介した開放・折畳動作（開閉動作）に必要な前記所定回転角度θ（所定相対回転角度）は、１５５°〜１７０°のうちいずれかの角度に設定するものである。
【００５０】
よって、前記所定回転角度θを、例えば１５５°〜１７０°のうちいずれかの角度に設定する場合には、第２回転体２３の凹陥部２３ａ、２３ａが設けられる前記直線Ａ1 −Ｂ1 と直線Ａ2 −Ｂ2 の回転位相角度差を、
１８０°−θ＝１８０°−（１５５°〜１７０°）＝２５°〜１０°
の角度だけ異なるように設定して、それぞれ直線Ａ1 −Ｂ1 と直線Ａ2 −Ｂ2 上に凹陥部２３ａ、２３ａを設けるものである。
【００５１】
本発明の他の実施の形態としては、請求項６に係る発明の折り畳みヒンジ部を備えたプラスチック製ハウジングがあり、図３及び図６（ａ）〜（ｂ）にしたがって説明すれば、図３に示すように、プラスチックで成形された第１ハウジング１と第２ハウジング４のそれぞれ一端部に一体に、互いに隣接して嵌合するプラスチックで成形された第１軸受１１及び第２軸受１４を備える。
【００５２】
該第１及び第２軸受１１、１４の軸孔１１ａ、１４ａ内に、軸方向に沿って設けた突起状リブ１１ｂ、１４ｂとを備え、金属製の支軸２１に回転可能に軸支された外周に溝状リブを設けたプラスチック製の第１回転体２２及び金属製の第２回転体２３を備える。
【００５３】
該第１回転体２２の内部に前記支軸２１に装通されて、その回転体２２と一体的に回転可能に設けられ、且つ該支軸２１に沿って弾性体２７によって付勢されて、第２回転体２３を押圧する押圧板２６と、該押圧板２６に、その支軸２１を挟んで両端部に突起部２６ａ、２６ａを備え、図６（ａ）に示すように、その突起部２６ａ、２６ａの回転角度差は１８０°（直線Ａ1 −Ｂ1 上）に設定されている。
【００５４】
図３に示すように、前記第２回転体２３の押圧面の支軸２１を挟んで対向する両端部には、押圧板２６の両端部に設けた２個一対の前記突起部２６ａ、２６ａに対応する位置に、該両方の突起部２６ａ、２６ａが弾性的に嵌入する２個一対の凹陥部２３ｂ、２３ｂを備え、図６（ｂ）に示すように、その凹陥部２３ｂ、２３ｂの回転角度差は１８０°（直線Ａ1 −Ｂ1 上）に設定されている。
【００５５】
これにより、回転角度差１８０°を持つ位置にて、前記両突起部２６ａ、２６ａと両凹陥部２３ａ、２３ａとを嵌入させて、第１回転体２２と第２回転体２３の相対的回転を一旦停止ロックさせるクリック機構が得られる。
【００５６】
そして、前記第１軸受１１と第２軸受１４のそれぞれ軸孔１１ａ、１４ａ内に第１回転体２２と第２回転体２３とからなる支軸部をその突起状リブ１１ｂと溝状リブ２２ａ、突起状リブ１４ｂと溝状リブ２３ａをそれぞれ嵌合させて嵌挿して、前記第２回転体２３の先端部に設けた係合部２３ｃを、第２軸受２３の内端部に係合して固定されている。
【００５７】
上記本発明における第１、第２ハウジング１、４、及びそれに一体の回転ヒンジ部５における第１、第２軸受１１、１４もプラスチックにより成形され、また、第１、第２軸受１１、１４の軸孔１１ａ、１４ａ内に嵌挿される支軸部２０、支軸２１及び押圧板２６の突起部２６ａ（又は押圧板２６及び突起部２６ａ）及び第２回転体２３及びその凹陥部２３ｂ及び第２回転体２３の先端部にある割りピン形状の係合部２３ｃ以外は、第１回転体２２を含めてすべてがプラスチックにより成形されている。
【００５８】
また、本発明における他の実施の形態としては、例えば、図３、図４（ａ）〜（ｃ）に示すように、金属製の第２回転体２３は二枚の回転体２４、２５を重ね合わせて構成してもよく、第１回転体２２に近い側の回転体２５を金属により形成して、その金属製の回転体２５に溝状リブ２３ａと凹陥部２３ｂを形成して、該第２回転体２３先端側（割りピン２３ｃ側）の回転体２４はプラスチック製であってもよい。
【００５９】
上記本発明のハウジングにおいては、図３及び図７に示すように、第２ハウジング４におけるプラスチック製の第２軸受１４の軸孔１４ａ内に、その軸孔１４ａの内周面及びその内周面に設けた突起状リブ１４ｂの形状に追従する形状に金属で成形された筒状の保護キャップ４０を装填することにより軸孔１４ａ内周面を金属で被覆し、その保護キャップ４０内に、前記第２回転体２３（金属製の回転体２３又は回転体２３を構成するプラスチック製の回転体２４と金属製の回転体２５）を嵌挿させることによって、開閉動作の繰り返しによる回転ヒンジ部５内部のプラスチックと金属との接触によるプラスチックの磨耗や破損の発生をできる限り減少させるものである。
【００６０】
図８（ａ）は前記保護キャップ４０の側面図、図８（ｂ）はその側断面図、図８（ｃ）はその正面図であり、第２軸受１４の軸孔１４ａ内周面に被覆される筒状の側壁部４１と、筒状の該側壁部４１の一端に設けた底壁部４２と、筒状の該側壁部４１の対向側壁部分にその内部に向かって突出して設けた第２軸受１４の突起状リブ１４ｂと第２回転体２３の溝状リブ２３ａとに嵌合する突起状リブ４０ａと、該底壁部４２の中央に孔設した第２回転体２３の先端部が嵌入可能な孔設部４３とにより構成されている。なお、保護キャップ４０の底壁部４２は省略することが可能である。また、前記保護キャップ４０は、例えば、薄い金属板を深絞りして作成することができ、金属板を一度深絞りをして、更に底を打ち抜いて作成することができる。
【００６１】
また前記保護キャップ４０は、耐久性も必要であり、材質としては、炭素０．２５％以下の機械構造用炭素鋼鋼板（Ｓ１０Ｃ〜Ｓ２２Ｃ）や、黄銅が使用できる。又、保護キャップ４０は、０．２〜０．８ｍｍ程度の薄い金属材料でできるので回転ヒンジ部５の太さや長さを大きくせずに、また、金属材料を用いることによる重量の増加も軽微で済み、外観上すっきりとしたコンパクトなデザインにすることができる。
【００６２】
本発明の折り畳みヒンジ部を備えたプラスチック製ハウジングの回転ヒンジ部５（折り畳みヒンジ部）における実際の開閉試験結果を下記表１に示す。
【００６３】
【表１】
0003714092.tif 000002
【００６４】
【発明の効果】
本発明の折り畳みヒンジ部を備えたプラスチック製ハウジングは、全体がプラスチックで成形され、そのハウジングを開閉させる回転ヒンジ部もプラスチックにてハウジング本体と一体成形により製造でき、従来のように回転ヒンジ部の軸受に耐久性と強度をもたせるために、プラスチック製のハウジング本体に金属材料にて成形された回転ヒンジ部の軸受を接合して製造したり、あるいは回転ヒンジ部の軸受とハウジング本体のフロントケースとを金属材料にて一体成形したりすることなく、耐久性に優れた十分な強度のある軽量化したハウジングを製造することができる効果がある。
【００６５】
また、回転ヒンジ部を構成する軸受部と支軸部とにおいて、その支軸部を構成する金属製の溝状リブを備えた第２回転体と、その溝状リブに嵌合して軸支固定するプラスチック製の突起状リブを備えた第２軸受の軸孔内周との間に、金属製の保護キャップが装填されているため、その溝状リブと突起状リブとは互いに金属同士の嵌合となって、ハウジングの繰り返し開閉動作に対する耐久性と強度を向上できる効果がある。
【００６６】
また、本発明の折り畳みヒンジ部を備えたプラスチック製ハウジングは、実機としての携帯用情報端末機器などのハウジングに用いるだけではなく、外観形状や携帯操作性などを顧客に確認してもらうために店頭などに展示するための展示見本用機器としてのハウジングとしても使用できるものである。
【図面の簡単な説明】
【図１】本発明の折り畳みヒンジ部を備えたプラスチック製の携帯電話ハウジングの一例を説明する全体外観斜視図。
【図２】本発明の折り畳みヒンジ部を備えたプラスチック製の携帯電話ハウジングの一例を説明する全体平面図。
【図３】本発明の折り畳みヒンジ部を備えたプラスチック製ハウジングの回転ヒンジ部における軸受部の部分断面図。
【図４】（ａ）は本発明の折り畳みヒンジ部を備えたプラスチック製ハウジングの支軸部の全体側面図、（ｂ）はその支軸部の全体断面図、（ｃ）はその支軸部の外端部に化粧カバー（外形カバー）を取り付けた全体側面図。
【図５】（ａ）は本発明の折り畳みヒンジ部を備えたプラスチック製ハウジングの支軸部の先端部側から見た正面図、（ｂ）はその支軸部の図３Ｍ−Ｍ断面図であり、第１回転体及び押圧板の正面断面図、（ｃ）はその支軸部の図３Ｎ−Ｎ断面図であり、第２回転体の正面断面図。
【図６】（ａ）は本発明の折り畳みヒンジ部を備えたプラスチック製ハウジングの回転ヒンジ部における第１軸受及び第１回転体の断面図、（ｂ）はその回転ヒンジ部における第２軸受及び第２回転体の断面図。
【図７】本発明の折り畳みヒンジ部を備えたプラスチック製ハウジングの回転ヒンジ部における保護キャップを装填された第２軸受及び第２回転体の他の実施例の断面図。
【図８】（ａ）は、保護キャップの側面図、（ｂ）は、その側断面図、（ｃ）は、その平面図。
【符号の説明】
１…第１ハウジング  １ａ…フロントケース  １ｂ…リアケース
４…第２ハウジング  ４ａ…フロントケース  ４ｂ…リアケース
５…回転ヒンジ部
１１…第１軸受  １４…第２軸受
２０…支軸部  ２１…支軸  ２２…第１回転体  ２２ａ…溝状リブ
２２ｂ…切欠部  ３…第２回転体  ２３ａ…溝状リブ  ２３ｂ…凹陥部
２３ｃ…係合部  ２６…押圧板  ２６ａ…突起部  ２７…弾性体
３０…化粧カバー
４０…保護キャップ  ４０ａ…突起状リブ
【図１】
0003714092.tif 000003
【図２】
0003714092.tif 000004
【図３】
0003714092.tif 000005
【図４】
0003714092.tif 000006
【図５】
0003714092.tif 000007
【図６】
0003714092.tif 000008
【図７】
0003714092.tif 000009
【図８】
0003714092.tif 000010